(57)【要約】【課題】多数のチャネルを束ねてバルク通信を行う際に、より短時間でチャネル接続を完了させるバルク通信制御装置を提供する。【解決手段】対向するバルク通信制御装置１Ａ，１Ｂとの間で複数のチャネルを束ねてバルク通信を実行するバルク通信制御装置１において、対向するバルク通信制御装置間でＨ１チャネルを接続するＨ１チャネル接続手段と、Ｈ０チャネルを接続するＨ０チャネル接続手段と、Ｂチャネルを接続するＢチャネル接続手段とを有し、　［（Ｈ１チャネル×ｌ）＋（Ｈ０チャネル×ｍ）＋（Ｂチャネル×ｎ）］によるバルク接続する。呼設定待ちタイマおよび遅延補正データ待ちタイマを備え、所定の時間内に呼設定ができなかったチャネルを開放し、所定の時間内に遅延補正データを受信できなかったチャネルを切断して、以降の接続処理を実行する。【選択図】　　　　図１
2004088600.tif 000002
【特許請求の範囲】
【請求項１】
対向するバルク通信制御装置との間で複数のチャネルを束ねてバルク通信を実行するバルク通信制御装置において、対向するバルク通信制御装置間でＨ１チャネルを接続するＨ１チャネル接続手段と、Ｈ０チャネルを接続するＨ０チャネル接続手段と、Ｂチャネルを接続するＢチャネル接続手段とを有し、接続された複数のＨ１チャネル、Ｈ０チャネル、Ｂチャネルを混在し、［（Ｈ１チャネル×１）＋（Ｈ０チャネル×ｍ）＋（Ｂチャネル×ｎ）］によるバルク接続することを特徴とするバルク通信制御装置。
【請求項２】
呼設定待ちタイマを備え、最初の呼設定メッセージ受信時から呼設定待ちタイマを起動し、所定の時間内に呼設定ができなかったチャネルを開放して、以降の接続処理を実行することを特徴とする請求項１に記載のバルク通信制御装置。
【請求項３】
遅延補正データ待ちタイマを備え、最後の応答送出時から遅延補正データ待ちタイマを起動し、所定の時間内に遅延補正データを受信できなかったチャネルを切断して、以降の遅延補正処理を実行することを特徴とする請求項１に記載のバルク通信制御装置。
【請求項４】
遅延補正データ待ちタイマを備え、遅延補正データ時から遅延補正データ待ちタイマを起動し、所定の時間内に対向するバルク通信制御装置から遅延補正データを受信できなかったチャネルを切断して、以降の遅延補正処理を実行することを特徴とする請求項１に記載のバルク通信制御装置。
【発明の詳細な説明】
【０００１】
【発明の属する技術分野】
本発明は、通信回線を用いたバルク通信制御方法およびバルク通信制御装置にかかり、複数の通信チャネルを同時に使用し、それら複数の通信チャネルのデータ速度を合成した通信速度によって、より高速な通信を行う通信回線を用いた通信制御装置およびバルク通信制御方法に関する。
【０００２】
【従来の技術】
従来のバルク通信制御装置を用いてバルク通信を行う場合、通信回線を介して対向に接続されたバルク通信制御装置によってバルク通信制御を行い、複数のＢチャネル間伝送遅延差を吸収して一つに束ねることにより、より高速な通信を可能にしている。この方法によれば、複数のＢチャネルを接続するために、必要チャネル数を１チャネルずつ接続していく必要があり、チャネル数が大きくなるほどバルク通信を開始するまでに要する時間が長くなってしまう。
【０００３】
【発明が解決しようとする課題】
本発明は、複数のチャネルを束ねてバルク通信を行うに際して、特に束ねるチャネル数が多い場合におけるチャネルの接続時間を、より短時間で完了させることを可能にするバルク通信制御装置、及びバルク通信制御方法を提供することを目的とする。
【０００４】
【課題を解決するための手段】
上記課題を解決するために、本発明は、Ｂチャネル２４本を束ねた通信が可能なＨ１チャネル（通信速度１５３６ｋｂｉｔ／ｓ）、Ｂチャネル６本を束ねた通信が可能なＨ０チャネル（通信速度３８４ｋｂｉｔ／ｓ）、およびＢチャネルの各複数チャネルを混在してバルク通信を行うことにより、例えば、従来２４Ｂチャネルの呼接続を行うために２４回の呼接続手順が必要であったが、Ｈ１チャネルでは１回の呼接続で２４Ｂチャネル分の接続が可能であり、この機能を利用することにより、高速でチャネル数の多いバルク通信の場合においてバルク接続時間を短縮することができる。
【０００５】
【発明の実施の形態】
図１を用いて本発明にかかるバルク通信制御装置を用いて対向するデータ端末装置の間でバルク通信を行うバルク通信システムの構成の概要を説明する。図において、添字Ａは発信側の装置を、Ｂは着信側の装置を示しており、添字を付さない場合はそれぞれの装置を共通して説明する場合である。
【０００６】
本発明にかかるバルク通信装置を用いて構成されるバルク通信システムは、発信側のデータ端末装置３Ａが接続された本発明にかかる発側バルク通信制御装置１Ａと、着信側のデータ端末装置３Ｂが接続された本発明にかかる着側バルク通信制御装置１Ｂと、両発側バルク通信制御装置１Ａ，１Ｂを接続する通信回線５，６とから構成される。
【０００７】
発信側データ端末装置３Ａと着信側データ端末装置３Ｂは、互いに通信相手となり、このデータ端末装置３は、通信ケーブル２を介してバルク通信制御装置１に接続されている。発側バルク通信制御装置１Ａと着側バルク通信制御装置１Ｂは、通信ケーブル４１−１〜４１−８を介して一次群回線（以下、ＰＲＩ回線と称する）５に、通信ケーブル４２を介して基本群回線（以下、ＢＲＩ回線と称する）６に接続されている。
【０００８】
この実施例では、ＰＲＩ回線を８本とＢＲＩ回線１本を接続しており、そのうちＰＲＩ回線は、Ｈ１チャネル（２４Ｂチャネル：通信速度１５３６ｋｂｉｔ／ｓ）を７チャネル、Ｈ０チャネル（６Ｂチャネル：通信速度３８４ｋｂｉｔ／ｓ）を２チャネル、及びＢチャネル（通信速度６４ｋｂｉｔ／ｓ）を４チャネル収容し、またＢＲＩ回線はＢチャネルを２チャネル収容している。したがって、このバルク通信システムは、１８６Ｂチャネルを用いて最大で通信速度１１９０４ｋｂｉｔ／ｓの通信を行うことができる。
【０００９】
図２のブロック図を用いて、本発明にかかるバルク通信制御装置１の内部構成を説明する。
【００１０】
バルク通信制御装置１は、データ端末装置３に接続される端末インタフェース部１１と、データ制御部１２と、回線制御部１３と、ＰＲＩ回線５からの回線を収容するＰＲＩ回線インタフェース１４と、ＢＲＩ回線６からの回線を収容するＢＲＩ回線インタフェース１５と、制御部１６とを有して構成される。端末インタフェース部１１と、データ制御部１２と、回線制御部１３と、制御部１６は、制御バス１７を介して接続され、バルク通信制御装置を構成する各要素は、制御部１６によって統括的に制御される。
【００１１】
端末インタフェース部１１は、データ端末装置３との間で制御部１６によって指定された任意の速度で情報をやり取りするインタフェースである。
【００１２】
データ制御部１２は、通信相手のデータ端末３からＰＲＩ回線５を介してＰＲＩ回線５インタフェース１４および回線制御部１３を経由して送られてきた最大１９２Ｂチャネルのデータと、ＢＲＩ回線６を介してＢＲＩ回線インタフェース１５および回線制御部１３を経由して送られたきた２Ｂチャネルのデータとの合わせて最大１９４チャネルのデータを、所定の順番で組み立てて一連の信号として形成し、制御部１６によって指定された任意の通信速度で端末インタフェース部１１を介して、バルク通信制御装置１に接続されたデータ端末装置３へ送出する働きを有している。
【００１３】
また、データ制御部１２は、データ端末装置３から端末インタフェース部１１を介して送られてきた一連の信号を、複数のデータに分割し、所定の基準に従って、回線制御部１３を介してＰＲＩ回線インタフェース１４に収容された最大１９２ＢチャネルおよびＢＲＩ回線インタフェース１５に収容された２Ｂチャネルに割り当て、ＰＲＩ回線５とＢＲＩ回線６を介して通信相手のバルク通信制御装置１に送出する働きを有している。
【００１４】
回線制御部１３は、ＰＲＩ回線５およびＢＲＩ回線６の回線接続を制御する手段である。回線制御部１３は、８個のＰＲＩパラレル−シリアル変換部１３１ＰＩと、１個のＢＲＩパラレル−シリアル変換部１３１ＢＩと、ＰＲＩ回線の呼制御を行う８個のＰＲＩ回線制御部１３２ＰＩと、ＢＲＩ回線の呼制御を行う１個のＢＲＩ回線制御部１３２ＢＩとを有している。
【００１５】
データ制御部１２との間でパラレルにデータ送受信する１９２本の線路は、２４本ずつの８つに分けられ、それぞれＰＲＩパラレル−シリアル変換部１３ＰＩに接続される。各ＰＲＩパラレル−シリアル変換部１３１ＰＩでは、２４本の線路でパラレルに送受信されるデータと、ＰＲＩ回線制御部１３２ＰＩとの間で１本の線路でシリアルに送受信されるデータとの間で相互にパラレル−シリアル変換する機能を有している。
【００１６】
ＢＲＩパラレル−シリアル変換部１３１ＢＩは、データ制御部１２との間で２本の線路でパラレルに送受信されるデータと、ＢＲＩ回線制御部１３２ＢＩとの間で１本の線路でシリアルに送受信される２チャネルのデータとの間で相互にパラレル−シリアル変換する機能を有している。
【００１７】
ＰＲＩ回線制御部１３２ＰＩは、ＰＲＩ回線５との間で回線を制御する制御部であり、呼制御部としての機能をも有している。同様に、ＢＲＩ回線制御部１３２ＢＩは、ＢＲＩ回線６との間で回線を制御する制御部であり、呼制御部としての機能をも有している。
【００１８】
図３を用いて、データ制御部１２の構成の概要を説明する。データ制御部１２は、データ分離部１２１と、速度整合部１２２と、遅延補正データ送信部１２３と、遅延時間検出部１２４と、トレーニングデータ送信部１２５と、トレーニングデータ受信部１２６とを有して構成される。
【００１９】
データ分離部１２１は、有効なＢチャネル数に対応した通信速度で端末インタフェース部１１から出力されるシリアルデータを受け取り、Ｂチャネルのデータ単位に分割し、最大１９４線路のうち、制御部１６によって指定された線路の種類および順序に従ってデータを振り分ける機能を有している。
【００２０】
速度整合部１２２は、回線制御部１３が受信した各Ｂチャネルデータを遅延時間検出部１２４が検出した信号伝搬時間差に合わせて各チャネル間の信号伝搬時間差を調整して有効なＢチャネル数に対応した通信速度のシリアルデータとしてデータ端末装置３へ出力する手段である。速度整合部１２２は、回線制御部１３からの１９４本の線路にそれぞれ設けたバッファメモリと、バッファメモリから１９４のタイムスロット順に読み出したデータをデータ単位で記憶する１９４個のＦＩＦＯメモリとを有して構成される。
【００２１】
遅延補正データ送信部１２３は、ＰＲＩ回線５の各Ｈ１チャネル、各Ｈ０チャネル、各Ｂチャネル、及びＢＲＩ回線６の各Ｂチャネルにおけるチャネル間の信号伝搬時間差を検出するための遅延時間補正データ信号を送出する手段である。
【００２２】
遅延時間検出部１２４は、遅延補正データ送信部１２３から送出された遅延時間補正データ信号を用いて回線制御部１３により収容された各チャネル間の信号伝搬時間差（遅延時間）を検出する手段である。
【００２３】
トレーニングデータ送信部１２５は、検出した信号伝搬時間差の正常性を確認するための信号（トレーニングデータ）を送出する手段である。
【００２４】
トレーニングデータ送信部１２５は、検出した信号伝搬時間差の正常性を確認するための信号（トレーニングデータ）を、データ分離部１２１を介して対向側バルク通信制御装置へ送出する手段である。
【００２５】
トレーニングデータ受信部１２６は、対向側のバルク通信制御装置のトレーニングデータ送信部１２５から送出されたトレーニングデータを速度整合部１２２を介して受信し、遅延時間検出部１２４が検出した信号伝搬時間差の正常性を確認する手段である。
【００２６】
本実施の形態において、バルク接続に必要な情報の伝達は、発信側から送出される呼設定メッセージにおける発サブアドレス情報要素の領域を用いて行われる。そこで、上記呼設定メッセージのフォーマットを、図４を参照して説明する。
【００２７】
図４は、発側バルク通信制御装置１Ａから着側バルク通信制御装置１Ｂに発呼する場合において、発側バルク通信制御装置１Ａから着側バルク通信制御装置１Ｂに対してＰＲＩ回線５およびＢＲＩ回線６を介して送出される、レイヤ３による呼設定メッセージのフォーマットを示すものである。メッセージには、プロトコル識別子、呼番号、メッセージ種別（ＳＥＴＵＰ）、伝達能力、発番号情報要素、発サブアドレス情報要素、着番号情報要素の各要素が配列されている。さらに、発サブアドレス情報要素には、情報要素識別子、情報要素内容長、サブアドレスおよびバルク接続情報が配列される。このバルク接続情報に、使用帯域数、タイムスロット組み立て順番、チャネル間タイムスロット組み立て順番、帯域減少有無、接続待ち時間、チャネル間位相監視有無の各バルク接続を行なうために必要な内容を示すデータが挿入される。
【００２８】
次に、図５に示すシーケンス図を参照しながら、バルク同期を行い、回線の遅延を補正して、バルク通信制御装置間でタイムスロットの同期をとることにより、ＰＲＩ回線のＨ１チャネルを７チャネル、Ｈ０チャネルを２チャネル、Ｂチャネルを４チャネル、及びＢＲＩ回線の２Ｂチャネルを使用し、１１９０４ｋｂｉｔ／ｓのバルク通信を行なう方法を説明する。
【００２９】
なお、実施例にて用いるデータ端末装置３は、Ｖ．３５インタフェースでＶ．２５ｂｉｓによる接続手順を行なうものとして説明する。
【００３０】
まず、発側バルク通信制御装置１Ａは、データ端末装置３Ａからの発信コマンドＣＲＮ×××（ステップＳ１）受信により、ＰＲＩ通信回線５およびＢＲＩ通信回線６へ呼設定メッセージ（ステップＳ２，ステップＳ８）を１５個送信する。この呼設定メッセージは、それぞれ図４のようになり、発サブアドレス情報要素内には、サブアドレスの他に、バルク接続情報を付加する。
【００３１】
バルク接続情報は、使用帯域数、タイムスロット組み立て順番、帯域減少有無、接続待ち時間、チャネル間位相変動監視有無情報からなる。
【００３２】
バルク接続情報の詳細について、以下説明する。タイムスロット組み立て順番は、呼設定を送信する順番が付加される。発側バルク通信制御装置１ＡがＰＲＩ通信回線５またはＢＲＩ通信回線６に送出する１番目の呼設定における発サブアドレスのタイムスロット組み立て順番には“１”，２番目には“２”と続き、１５番目には“１５”が付加される。
【００３３】
接続待ち時間は、発側バルク通信制御装置１Ａが、データ端末装置３Ａから発信コマンドを受信してから、呼接続・バルク同期確立により、通信中となるまでの最大待ち時間であり、発側バルク通信制御装置１Ａの構成情報設定による。この設定は、データ端末装置３Ａが発信コマンド送信から通信可となるまでの最大待ち時間がある場合、データ端末装置３Ａが、その時間を考慮して設定された時間内に接続できる帯域数分だけで通信できるようにするためのものである。
【００３４】
帯域減少有無は、発側バルク通信制御装置１Ａが通信回線５を介して対向する着側バルク通信制御装置１Ｂと通信するにあたり、呼接続・バルク同期確立等で、いくつかのチャネルが接続失敗したとき、帯域を減少して接続できたチャネルだけで通信を行なうようにするか、設定チャネル分の帯域を必ず確保するかの設定である。
【００３５】
着側バルク通信制御装置１Ｂは、呼設定（１）を受信（ステップＳ３）すると、呼設定に付加されている発サブアドレスを参照して、使用帯域数、タイムスロット組み立て順番、帯域減少有無、接続待ち時間、チャネル間位相変動監視有無情報を保持する。そして、ＰＲＩ通信回線５またはＢＲＩ通信回線６に呼設定受付（１）（ステップＳ４）、呼出（１）（ステップＳ５）を送信する。
【００３６】
着信側の着側バルク通信制御装置１Ｂは、予め設定された通信速度により、呼設定が完了したかどうかを判断し、期待する数の分の呼設定を待つ。期待数に達するまで、着側バルク通信制御装置１Ｂは呼設定受信に対し、呼設定受付、呼出を返す。
【００３７】
着信側の着側バルク通信制御装置１Ｂは、期待している最後の呼設定（１５）（ステップＳ９）を受信すると、呼設定受付（１５）（ステップＳ１０）、呼出（１５）（ステップＳ１１）を返した後、データ端末装置３Ｂに対しＣＩオン（ステップＳ１４）し、着信があったことを通知する。
【００３８】
着側バルク通信制御装置１Ｂは、データ端末装置３ＢからのＥＲオン（ステップＳ１５）による着信応答指示により、全チャネルへの応答（１）〜（１５）（ステップＳ１６，Ｓ２０）を送信する。
【００３９】
発側バルク通信制御装置１Ａは、ＰＲＩ通信回線５またはＢＲＩ通信回線６を介して着側バルク通信制御装置１Ｂから受信した応答（１）〜（１５）（ステップＳ１７，２１）に対し、応答確認（１）〜（１５）（ステップＳ１８，Ｓ２２）を送信する。全てのチャネル分の応答（１）〜（１５）に対する応答確認（１）〜（１５）の送信により、全チャネルのＢチャネルが接続される。
【００４０】
着側バルク通信制御装置１Ｂは、ＰＲＩ通信回線５およびＢＲＩ通信回線６から全てのチャネル分の応答（１）〜（１５）（ステップＳ１６，Ｓ２０）に対する応答確認（１）〜（１５）（ステップＳ１９，Ｓ２３）を受信することにより、全チャネルが接続される。
【００４１】
発側バルク通信制御装置１Ａは、全チャネルの接続完了後、各々のＢチャネル遅延補正データを多重した遅延補正データを送信する（ステップＳ２４）。
【００４２】
着側バルク通信制御装置１Ｂは、Ｂチャネル接続完了後、発側バルク通信制御装置１Ａからの遅延補正データを待つ状態となる。この状態で、着側バルク通信制御装置１Ｂは、発側バルク通信制御装置１Ａからの遅延補正データをチャネル毎に受信する。発側バルク通信制御装置１Ａから多重して送信されたチャネル毎の遅延補正データを受信した時間差を、着側バルク通信制御装置１Ｂでは、回線遅延時間と判断することができる。着側バルク通信制御装置１Ｂは、全部のチャネルにて遅延補正データを受信することにより、全チャネルの遅延時間差を検出できる。
【００４３】
着側バルク通信制御装置１Ｂは、全チャネルの遅延時間差検出により、以降、回線から受信したデータの遅延補正を行なう。
【００４４】
着側バルク通信制御装置１Ｂは、この後発側バルク通信制御装置１Ａに、全チャネルに同時に遅延補正データを送信する（ステップＳ２５）。
【００４５】
発側バルク通信制御装置１Ａは、着側バルク通信制御装置１Ｂに遅延補正データを送信するのと同時に、着側バルク通信制御装置１Ｂからの遅延補正データを待つ状態となる。発側バルク通信制御装置１Ａは、着側バルク通信制御装置１Ｂからの遅延補正データをチャネル毎に受信する。着側バルク通信制御装置１Ｂから同時に送信されたチャネル毎の遅延補正データを受信した時間差を、発側バルク通信制御装置１Ａでは、回線遅延時間と判断することができる。発側バルク通信制御装置１Ａは、全部のチャネルにて遅延補正データを受信することにより、全チャネルの遅延時間差が検出できる。
【００４６】
ここまでの遅延補正データ送受信シーケンス（ステップＳ２４，Ｓ２５）により、発側バルク通信制御装置１Ａと着側バルク通信制御装置１Ｂの間で、遅延時間の吸収が行なえるようになる。
【００４７】
この後、発側バルク通信制御装置１Ａと着側バルク通信制御装置１Ｂの間で、遅延補正が正常に行なえたかを確認するトレーニングシーケンスを行なう。
【００４８】
発側バルク通信制御装置１Ａは、遅延補正正常終了後トレーニングデータ受信部１２６の受信起動を行なう。この時、発サブアドレスのタイムスロット組み立て順番どおりに受信したデータを組み立てるように設定する。
【００４９】
着側バルク通信制御装置１Ｂも発サブアドレスのタイムスロット組み立て順番どおりに受信したデータを組み立てるように設定する。
【００５０】
発側バルク通信制御装置１Ａは、トレーニングデータ送信部１２５より、ＰＲＩ回線５とＢＲＩ回線６を介して、着側バルク通信制御装置１ＢにトレーニングデータＡ（１）〜（１５）を送信する（ステップＳ２６）。
【００５１】
着側バルク通信制御装置１Ｂは、ＰＲＩ回線５とＢＲＩ回線６を介して発側バルク通信制御装置１ＡからのトレーニングデータＡを正常に受信する（ステップＳ２６）。これにより、着側バルク通信制御装置１Ｂ側では、発側バルク通信制御装置１Ａから着側バルク通信制御装置１Ｂへのデータが正常に通ることを確認できる。この後、着側バルク通信制御装置１Ｂは、トレーニングデータ送信部１２５より、ＰＲＩ回線５とＢＲＩ回線６を介して、発側バルク通信制御装置１ＡにトレーニングデータＡ（１）〜（１５）を送信する（ステップＳ２７）。
【００５２】
発側バルク通信制御装置１Ａは、ＰＲＩ回線５とＢＲＩ回線６を介して、着側バルク通信制御装置１ＢからのトレーニングデータＡを正常に受信する（ステップＳ２７）。これにより、発側バルク通信制御装置１Ａ側では、発側バルク通信制御装置１Ａと着側バルク通信制御装置１Ｂの間でデータが双方向とも正常に通ることが確認できる。この後、発側バルク通信制御装置１Ａは、トレーニングデータ送信部１２５より、ＰＲＩ回線５とＢＲＩ回線６を介して、着側バルク通信制御装置１ＢにトレーニングデータＢ（１）〜（１５）を送信する（ステップＳ２８）。
【００５３】
着側バルク通信制御装置１Ｂは、ＰＲＩ回線５とＢＲＩ回線６を介して発側バルク通信制御装置１ＡからのトレーニングデータＢを正常に受信する（ステップＳ２８）。これにより、着側バルク通信制御装置１Ｂ側では、着側バルク通信制御装置１Ｂから発側バルク通信制御装置１Ａへのデータも正常に通ることが確認できる。
【００５４】
以上のトレーニングデータ送受信（ステップＳ２６〜Ｓ２８）により、発側バルク通信制御装置１Ａ、着側バルク通信制御装置１Ｂとも、双方向のデータが通ることが確認でき、データ端末装置３Ａ，３ＢへＣＤ，ＤＲをオンとして（ステップＳ２９，Ｓ３０）、通信中となる（ステップＳ３１）。
【００５５】
以上により、発側バルク通信制御装置１Ａと着側バルク通信制御装置１Ｂの間で、Ｈ１チャネル：７チャネル、Ｈ０チャネル：２チャネル、Ｂチャネル：６チャネル、を合わせた１１９０４ｋｂｉｔ／ｓのバルク通信を行なうことが可能となる。
【００５６】
次に、図６を参照して、全てのチャネルが接続できない場合、接続できたチャネルのみを束ねてバルク通信を行なう方法を説明する。
【００５７】
図５でのシーケンスと同じように、発側バルク通信制御装置１Ａは、データ端末装置３Ａからの発信コマンドＣＲＮ×××受信（ステップＳ１）により、ＰＲＩ通信回線５およびＢＲＩ通信回線６へ呼設定メッセージ（１）〜（１５）（ステップＳ２，Ｓ８，Ｓ１４）を１５個送信する。
【００５８】
着側バルク通信制御装置１Ｂは、呼設定（１）（ステップＳ３）を受信すると、呼設定に付加されている発サブアドレスを参照して、使用帯域数、タイムスロット組み立て順番、帯域減少有無、接続待ち時間、チャネル間位相変動監視有無情報を保持する。そして、ＰＲＩ通信回線５またはＢＲＩ通信回線６に呼設定受付（１）（ステップＳ４）、呼出（１）（ステップＳ５）を送信する。
【００５９】
着信側の着側バルク通信制御装置１Ｂは、呼設定（１）に付加された発サブアドレスの使用帯域数により、呼設定があといくつ来るか判断し、期待する数の分の呼設定を待つ。期待数に達するまで、着側バルク通信制御装置１Ｂは呼設定受信に対し、呼設定受付、呼出を返す。
【００６０】
通常は、発側バルク通信制御装置１Ａが送信した呼設定メッセージが、ＰＲＩ通信回線５またはＢＲＩ通信回線６を介して着側バルク通信制御装置１Ｂに送信される。そして、呼設定メッセージを受信した着側バルク通信制御装置１Ｂが、呼設定受付、呼出をＰＲＩ通信回線５またはＢＲＩ通信回線６に送信する。そして、発側バルク通信制御装置１Ａは、呼設定受付、呼出をＰＲＩ通信回線５またはＢＲＩ通信回線６から受信する。ところが、ＰＲＩ通信回線５またはＢＲＩ通信回線６の状態によっては、呼設定を受けられない場合がある。
【００６１】
発側バルク通信制御装置１Ａは、呼設定（１５）（ステップＳ１４）をＰＲＩ通信回線５またはＢＲＩ通信回線６に送信するが、ＰＲＩ通信回線５またはＢＲＩ通信回線６では、この呼設定（１５）（ステップＳ１４）に対し解放完了（１５）（ステップＳ１５）を返す。発側バルク通信制御装置１Ａは、解放完了（１５）（ステップＳ１５）の受信により、発信が失敗したとは判断せず、解放完了を受信した以外の呼設定（１）〜（１４）に対する応答を待つ状態となる。
【００６２】
この場合、着側バルク通信制御装置１Ｂは、呼設定（１５）待ちの状態のままとなってしまう。そこで、着側バルク通信制御装置１Ｂは、最初に呼設定を受信した時点で、呼設定待ちタイマを起動する。このタイマのタイマ値は、期待する呼設定の数に比例し、期待する呼設定の数が多いと、タイマ値も大きくなる。最初に呼設定を受信した時点で、残り幾つの呼設定が来るかによりタイマを起動し、タイムアウト前に期待する全ての呼設定を受信できなかった場合、本シーケンスの呼設定（１５）のようなケースと判断し、残りの呼設定を待つのを止め、データ端末装置３Ｂに対しＣＩオン（ステップＳ１６）し、着信があったことを通知する。
【００６３】
着側バルク通信装置１Ｂ側で、期待する呼設定を待ち続けたままにしてしまうと、この後、接続できなくなってしまい、発信側のデータ端末装置３Ａか発側バルク通信制御装置１Ａから切断されて、接続失敗となってしまう。しかし本発明では、着側バルク通信制御装置１Ｂで、呼設定待ち時間内に全ての呼設定が受信できなかった場合、受信できた呼設定でのみ接続することにより、接続失敗を防ぐことができる。
【００６４】
すなわち、着側バルク通信制御装置１Ｂは、データ端末装置３ＢからのＥＲオン（ステップＳ１７）による着信応答指示により、呼設定が受信できなかった１５を除いた全チャネルの応答（１）〜（１４）（ステップＳ１８，Ｓ２２）を送信する。
【００６５】
発側バルク通信制御装置１Ａは、ＰＲＩ通信回線５またはＢＲＩ通信回線６を介して着側バルク通信制御装置１Ｂから受信した応答（１）〜（１４）（ステップＳ１９，Ｓ２３）に対し、応答確認（１）〜（１４）（ステップＳ２０，Ｓ２４）を送信する。全てのチャネル分の応答（１）〜（１４）（ステップＳ１９，Ｓ２３）に対する応答確認（１）〜（１４）（ステップＳ２０，２４）の送信により、全チャネルが接続される。
【００６６】
着側バルク通信制御装置１Ｂは、ＰＲＩ通信回線５またはＢＲＩ通信回線６からの全てのチャネル分の応答（１）〜（１４）（ステップＳ１８，Ｓ２２）に対する応答確認（１）〜（１４）（ステップＳ２１，Ｓ２５）を受信することにより、全チャネルが接続される。
【００６７】
以上のシーケンスにより、発側バルク通信制御装置１Ａ、着側バルク通信制御装置１Ｂ共に、１チャネル少ないチャネルの接続をもって接続が完了する。
【００６８】
この後、発側バルク通信制御装置１Ａは、遅延補正データを全チャネルに同時に送信し、着側バルク通信制御装置１Ｂは、発側バルク通信制御装置１Ａからの遅延補正データを待つ状態となり、発側バルク通信制御装置１Ａからの遅延補正データをチャネル毎に受信していくのは、図５での説明の通りである。
【００６９】
この遅延補正データ送受信にて、ＰＲＩ通信回線５またはＢＲＩ通信回線６上でのノイズ発生等により、着側バルク通信制御装置１Ｂで全チャネルの遅延補正データを全て受信できるとは限らない。そのため、遅延補正データはもちろんのことトレーニングデータを待つ状態でも、データ受信待ちタイマを起動する。
【００７０】
このデータ受信待ちタイマは、回線遅延時間より長い時間を設定しておく必要がある。今回の説明では、回線遅延補償時間を仮に１秒として説明をする。
【００７１】
着側バルク通信制御装置１Ｂは、Ｂチャネルの接続完了により遅延補正データ待ち状態となるが、この時に遅延補正データ待ちタイマを起動する。タイマ値は、回線遅延保証時間（１秒）に内部処理時間（今回の説明では０．５秒とする）を足して１．５秒とする。つまり、着側バルク通信制御装置１Ｂが発側バルク通信制御装置１Ａからのデータを待つ時間を１．５秒とする。発側バルク通信制御装置１Ａが着側バルク通信制御装置１Ｂからのデータを待つ時間も１．５秒とする。
【００７２】
また、発側バルク通信制御装置１Ａがデータを送信して、着側バルク通信制御装置１Ｂはそのデータを受信してから発側バルク通信制御装置１Ａにデータを送信し、発側バルク通信制御装置１Ａでは着側バルク通信制御装置１Ｂが送信したデータを待つような場合、発側バルク通信制御装置１Ａは、１．５秒の２倍の３秒待つようになる。
【００７３】
このようにすると、着信側での着側バルク通信制御装置１Ｂの遅延補正データ待ち時間は１．５秒となり、発信側での発側バルク通信制御装置１Ａの遅延補正データ待ち時間、着信側での着側バルク通信制御装置１ＢでのトレーニングデータＡ待ち時間、発信側での発側バルク通信制御装置１ＡでのトレーニングデータＡ待ち時間、着信側での着側バルク通信制御装置１ＢでのトレーニングデータＢ待ち時間は、各々３秒となる。
【００７４】
着側バルク通信制御装置１Ｂは、Ｂチャネルの接続完了により、遅延補正データ待ちタイマを起動し、遅延補正データ待ち状態となる。遅延補正データ待ちタイムアウトとなるまでに、１〜１４のチャネルのうち、１〜１３のチャネルでしか遅延補正データを受信できなかった場合、着側バルク通信制御装置１Ｂは、受信できなかったチャネル１４は回線遅延時間が保障外であると判断し、チャネル１４を除いてチャネル１〜１３に対し、遅延補正データ（１）〜（１３）を送信する（ステップＳ２７）。そして、チャネル１４はＢチャネルを切断する（ステップＳ２８）。
【００７５】
着側バルク通信制御装置１Ｂは、トレーニングデータ待ちタイマを起動して、１〜１３のチャネルでバルクされたトレーニングデータＡを待つ。
【００７６】
発側バルク通信制御装置１Ａは、遅延補正データ送信（ステップＳ２６）と同時に遅延補正データ待ちタイマを起動する。遅延補正データ待ちタイムアウト時、遅延補正データが１〜１２までしか受信できなかった場合、発側バルク通信制御装置１Ａは、１〜１２のチャネルに、バルクしたトレーニングデータＡ（１）〜（１２）を送信し続ける（ステップＳ３０）。そして、遅延補正データを受信できなかった１３チャネルのＢチャネルを切断する（ステップＳ３１）。発側バルク通信制御装置１Ａは、トレーニングデータ待ちタイマを起動して、１〜２チャネルで発側バルク通信制御装置１Ａは、トレーニングデータ待ちタイマを起動して、１〜１２のチャネルでバルクされたトレーニングデータＡを待つ。
【００７７】
発側バルク通信制御装置１Ａは１〜１２のチャネルへのバルクしたトレーニングデータＡを送信するため、着側バルク通信制御装置１Ｂでは、１〜１３のチャネルでのバルクされたトレーニングデータＡを受信することはできない。しかし、発側バルク通信制御装置１Ａが、チャネル１３のＢチャネル切断処理（ステップＳ３１）を行なうため、着側バルク通信制御装置１Ｂ側でもチャネル１３のＢチャネル切断処理を行なう（ステップＳ３２）。この時着側バルク通信制御装置１Ｂは、１〜１３のチャネルでのトレーニングデータＡ待ちから、１〜１２のチャネルでのトレーニングデータＡ待ちに切替える。これにより着側バルク通信制御装置１Ｂは、発側バルク通信制御装置１Ａが送信した１〜１２のチャネルでのトレーニングデータＡを受信することができる。
【００７８】
以降のトレーニングシーケンスは、図５での説明と同様である（ステップＳ３４〜３７）。トレーニングシーケンスまで成功すると、通信中（ステップＳ３７）となる。Ｂチャネルの接続シーケンスにより１５チャネルから１４チャネルに減少、発側バルク通信制御装置１Ａから着側バルク通信制御装置１Ｂへの遅延補正データ送受信シーケンスにより１４チャネルから１３チャネルに減少、着側バルク通信制御装置１Ｂから発側バルク通信制御装置１Ａへの遅延補正データ送受信シーケンスにより１３チャネルから１２チャネルに減少となり、設定より遅い通信速度での通信となる。
【００７９】
遅延補正シーケンスにて、期待するチャネル全ての遅延補正データを持ち続けてしまうと、回線ノズル等で遅延補正データが受信できないチャネルが発生した場合、この後、接続ができなくなってしまい、発信側のデータ端末装置３Ａから切断されて、接続失敗となってしまう。しかし今回のように、遅延補正データ待ち時間内に全てのチャネルでの遅延補正データが受信できなかった場合、受信できたチャネルでのみ以降の遅延補正、疎通確認を行なうことにより、接続失敗を防ぐことができる。
【００８０】
ここでは、深い部分にまでは言及しないが、トレーニングデータの送受信にてトレーニングデータ受信待ちタイムアウトが発生した場合は、遅延補正データの送受信からリトライすることにより、接続失敗を回避できる。
【００８１】
次に、接続待ち時間を考慮してバルク接続を行なう場合のシーケンスについて説明する。Ｂチャネル接続完了後、遅延補正データ送受信シーケンスとトレーニングデータ送受信シーケンスを行なう。回線遅延を考慮して、一方向でのデータ送受信に最大１．５秒を費やすとした図５の説明からすると、Ｂチャネル接続完了後、発側バルク通信制御装置１Ａでは、遅延補正データ受信待ちの３秒＋疎通確認データ待ちの３秒＝６秒、着側バルク通信制御装置１Ｂでは、遅延補正データ受信待ちの１．５秒＋１回目の疎通確認データ待ち３秒＋２回目の疎通確認データ待ち３秒＝７．５秒が必要である。しかし、Ｂチャネルの接続に時間がかかり、接続待ち時間の残りが、これらの時間より短くなってしまう場合がある。接続待ち時間の残りとは、発信側の発側バルク通信制御装置１Ａの場合は、「発側バルク通信制御装置１Ａに設定された接続待ち時間−発信（ＣＲＮＸＸＸ受信）（ステップＳ１）からＢチャネル接続完了して遅延補正データ送信までに要した時間（ステップＳ２６）」で、着信側の着側バルク通信制御装置１Ｂの場合は、「呼設定で受信した発側バルク通信制御装置１Ａからの接続待ち時間−最初の呼設定受信（ステップＳ３）からＢチャネル接続完了（最終の応答確認受信）（ステップＳ２５）までに要した時間」である。
【００８２】
仮に発信側にてＢチャネルの接続完了時点で、接続待ち時間の残りが７．５秒なかったとする。この場合、残りの時間をデータ送受信回数で割り、受信データ待ち時間に割り当てる。接続待ち時間の残りが２秒の場合は、２秒÷４回（遅延補正データ送信・受信、疎通確認データ送信・受信）＝０．５秒なので、遅延補正データを送信してからの遅延補正データ受信待ち時間を１秒、疎通確認データを送信してからの疎通確認データ受信待ち時間を１秒とする。
【００８３】
このようにして、接続待ち時間の残り時間に合わせて、遅延補正シーケンス、疎通確認シーケンスでの受信データ待ち時間を短くする。つまり、接続待ち時間の残り時間が少ない場合は、回線遅延保障時間を短くして、接続待ち時間内に接続可能な回線遅延の回線だけでバルク接続を実現するものである。
【００８４】
【発明の効果】
本発明により、複数の、Ｈ１チャネル、Ｈ０チャネルおよびＢチャネルの混在したバルク通信が可能となり、高速な通信速度での通信においても、短時間でのバルク接続を可能にすることができた。
【図面の簡単な説明】
【図１】本発明におけるバルク通信制御システムの構成を説明するシステム概念図。
【図２】本発明におけるバルク通信制御装置の内部構成の概要を説明するブロック図。
【図３】本発明におけるバルク通信制御装置のデータ制御部の内部構成を説明するブロック図。
【図４】本発明で用いる呼設定メッセージのフォーマットを説明する図。
【図５】本発明におけるバルク接続シーケンス図（呼接続およびバルク接続が正常に行なわれた場合）
【図６】本発明におけるバルク接続シーケンス図（呼接続およびバルク接続が一部不成功であった場合）
【符号の説明】
１Ａ，１Ｂ　バルク通信制御装置
１１　端末インタフェース部
１２　データ制御部
１２１　データ分離部
１２２　速度整合部
１２３　遅延補正データ送信部
１２４　遅延時間検出部
１２５　トレーニングデータ送信部
１２６　トレーニングデータ受信部
１３　回線制御部
１３１ＰＩ，１３１ＢＩ　パラレル−シリアル変換部
１３２ＰＩ　ＰＲＩ回線制御部（呼接続部）
１３２ＢＩ　ＢＲＩ回線制御部（呼接続部）
１４　ＰＲＩ回線インタフェース部
１５　ＢＲＩ回線インタフェース部
１６　制御部
１７　制御バス
２，４１，４２　通信ケーブル
３Ａ，３Ｂ　データ端末装置
５　ＰＲＩ通信回線
６　ＢＲＩ通信回線
【図１】
2004088600.tif 000003
【図２】
2004088600.tif 000004
【図３】
2004088600.tif 000005
【図４】
2004088600.tif 000006
【図５】
2004088600.tif 000007
【図６】
2004088600.tif 000008